(57)【要約】【課題】初期状態に回復することを確保できる誤挿着防止機構を有するカード用コネクタを提供する。【解決手段】本考案のカード用コネクタは、サイズの大きいカードを収容するための挿入口を有する収容空間が形成される絶縁ハウジングと、前記絶縁ハウジングにそれぞれ装着され、前記収容空間へそれぞれ延出される第１導電端子及び第２導電端子と、前記サイズの大きいカードの挿入口を覆い、前記収容空間へ延出するように形成されるサイズの小さいカードをガイドするための案内部材が設けられる誤挿着防止機構と、天板に受入空間が形成され、前記絶縁ハウジングに取付けられるシールドとを含み、サイズの異なるカードを収容できるカード用コネクタにおいて、前記シールドの受入空間に収容される弾性部材を有し、該弾性部材は前記誤挿着防止機構に弾性的な作用力を加える。【選択図】図１
0003126002.tif 000002
【実用新案登録請求の範囲】
【請求項１】
サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材が設けられる誤挿着防止機構と、
天板に受入空間が形成され、前記絶縁ハウジングに取付けられるシールドと
を含み、サイズの異なるカードを収容できるカード用コネクタにおいて、
前記シールドの受入空間に収容される弾性部材を有し、該弾性部材は前記誤挿着防止機構に弾性的な作用力を加えることを特徴とするカード用コネクタ。
【請求項２】
前記シールドは、分離可能な分離板を含み、前記受入空間が該分離板に形成されることを特徴とする請求項１記載のカード用コネクタ。
【請求項３】
前記誤挿着防止機構の案内部材にはガイド溝が形成され、前記弾性部材はスプリングであり、該スプリングの一端が前記シールドに保持され、他端が前記ガイド溝に保持され、サイズの大きいカードが前記絶縁ハウジングの収容空間から排出される際に、誤挿着防止機構が前記スプリングからの弾性的な作用力によって初期状態に回復されることを特徴とする請求項２に記載のカード用コネクタ。
【請求項４】
前記誤挿着防止機構には、前記収容空間に連通し、サイズの小さいカードを挿入するための挿着口が形成され、前記誤挿着防止機構に配置されるシェルが前記挿着口を覆っていることを特徴とする請求項１に記載のカード用コネクタ。
【請求項５】
サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材が設けられる誤挿着防止機構と
を含み、サイズの異なるカードを収容できるカード用コネクタにおいて、
前記誤挿着防止機構を係合するための係合部材を有し、サイズの大きいカードを前記収容空間に挿入する際に前記係合部材が回転できることを特徴とするカード用コネクタ。
【請求項６】
前記係合部材は、サイズの大きいカードに当接する押圧面と、前記誤挿着防止機構をロックするための係合部と、を含むことを特徴とする請求項５に記載のカード用コネクタ。
【請求項７】
カード用コネクタは、前記絶縁ハウジングに取付けられるシールドを有し、シールドの天板に形成される受入空間に弾性部材が配置され、該弾性部材は前記誤挿着防止機構に弾性的な作用力を加えることを特徴とする請求項５に記載のカード用コネクタ。
【請求項８】
サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材と、サイズの小さいカードを挿入するための挿着口とが設けられる誤挿着防止機構と
を含み、サイズの異なるカードを収容できるカード用コネクタにおいて、
前記挿着口を覆っていて、弾性部材を有するシェルを含み、サイズの小さいカードが収容空間に排出される際に、該弾性部材は前記シェルに弾性的な作用力を加えることを特徴とするカード用コネクタ。
【請求項９】
カード用コネクタは、前記絶縁ハウジングに取付けられるシールドを有し、シールドの天板に形成される受入空間に弾性部材が配置され、該弾性部材は前記誤挿着防止機構に弾性的な作用力を加えることを特徴とする請求項８に記載のカード用コネクタ。
【考案の詳細な説明】
【技術分野】
【０００１】
本考案はカード用コネクタに関し、特に誤挿着防止機構を有するカード用コネクタに関するものである。
【背景技術】
【０００２】
携帯電話、デジタルカメラ、ＰＤＡ（Ｐｅｒｓｏｎａｌ Ｄｉｇｉｔａｌ Ａｓｓｉｓｔａｎｃｅ）などの電子機器の増設記録装置としてカード用コネクタが一般的に使用されている。このカード用コネクタの記憶媒体としては、ＳＤ（Ｓｕｐｅｒ Ｄｅｎｓｉｔｙ， ｓｅｃｕｒｅ ｄｉｇｉｔａｌ）カード、ＭＭＣ （Ｍｕｌｔｉｍｅｄｉａ Ｃａｒｄ）カード、ＳＭ （Ｓｍａｒｔ Ｍｅｄｉａ）カード、ＭＳ （Ｍｅｍｏｒｙ Ｓｔｉｃｋ）カード、ＭＳＤｕｏ（Ｍｅｍｏｒｙ Ｓｔｉｃｋ Ｄｕｏ）カード、ＸＤ （ＸＤ−ｐｉｃｔｕｒｅ）カード等が広く使用されるようになってきている。
【０００３】
前記各種のカードのサイズが異なるので、カード用コネクタのサイズが異なることが必要になり、各種カード用コネクタは一種のカードしか挿着することができず、電子機器の実装面積を大きくして、電子機器の小型化に不利になっている。
その後、多種カードを実装するカード用コネクタが考案され、これは、例えば、特許文献１に開示されたようなカード用コネクタであり、サイズの異なるカードを収容する収容溝が形成され、各カードが収容溝に対応して挿着される。
【特許文献１】米国特許第６，３８６，９２０号明細書
【考案の開示】
【考案が解決しようとする課題】
【０００４】
しかしながら、前記特許文献１に開示されたカード用コネクタは、多種の収容溝が形成されるので、各収容溝内に誤挿着防止機構を配置することが必要になる。しかし、従来のカード用コネクタは、カードを他の収容溝内に誤挿着する際に、たとえ誤挿着されたカードを排出しても、誤挿着防止機構が損傷され、初期状態に回復しない恐れがある。そこで、従来の技術の不足を改善したカード用コネクタを開発する必要がある。
【０００５】
本考案は、初期状態に回復することを確保できる誤挿着防止機構を有するカード用コネクタを提供することを目的とする。
【課題を解決するための手段】
【０００６】
本考案のカード用コネクタは、サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材が設けられる誤挿着防止機構と、
天板に受入空間が形成され、前記絶縁ハウジングに取付けられるシールドと
を含み、サイズの異なるカードを収容できるカード用コネクタにおいて、
前記シールドの受入空間に収容される弾性部材を有し、該弾性部材は前記誤挿着防止機構に弾性的な作用力を加えることを特徴とする。
【０００７】
また、本考案のカード用コネクタは、サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材が設けられる誤挿着防止機構と
を含み、サイズの異なるカードを収容できるカード用コネクタにおいて、
前記誤挿着防止機構を係合するための係合部材を有し、サイズの大きいカードを前記収容空間に挿入する際に前記係合部材が回転できることを特徴とする。
【０００８】
また、本考案のカード用コネクタは、サイズの大きいカードを収容するための挿入口を有する収容空間が形成される絶縁ハウジングと、
前記絶縁ハウジングにそれぞれ装着され、前記収容空間へそれぞれ延出される第１導電端子及び第２導電端子と、
前記サイズの大きいカードの挿入口を覆い、前記収容空間へ延出するように形成されるサイズの小さいカードをガイドするための案内部材と、サイズの小さいカードを挿入するための挿着口とが設けられる誤挿着防止機構と
を含み、サイズの異なるカードを収容できるカード用コネクタにおいて、
前記挿着口を覆っていて、弾性部材を有するシェルを含み、サイズの小さいカードが収容空間に排出される際に、該弾性部材は前記シェルに弾性的な作用力を加えることを特徴とする。
【考案の効果】
【０００９】
従来技術に比べ、本考案は以下の利点を有する。本考案のカード用コネクタは弾性部材によって、カードが排出される際に、誤挿着防止機構に弾性的な作用力を加え、誤挿着防止機構が損傷され、初期状態に回復しない恐れが防止される。
【考案を実施するための最良の形態】
【００１０】
以下、図１〜図１０を参照すると、本考案のカード用コネクタの好ましい実施形態について、添付図面を参照して説明する。該カード用コネクタ１００は、絶縁ハウジング１０と、カードの導電パッドに接続するための第１導電端子２２と、第２導電端子２４と、絶縁ハウジング１０に組み付けられるシールド２８と、誤挿着防止機構４０と、シェル５６と係合部材６０と、を含む。
【００１１】
図１乃至図５を参照すると、前記絶縁ハウジング１０は、略矩形状を呈し、相対した天板１２及び底板１４と、天板１２と底板１４とを連接する両側壁１６及び後壁２７と、天板１２と底板１４と両側壁１６と後壁２７とからなる収容空間１８と、を含む。前記天板１２に開口１３が形成され、底板１４に収容口１４２及び凹み部１５が形成され、側壁１６の先端に切欠部１７が形成される。前記第１導電端子２２は、サイズの大きいカード（図示せず）の導電パッドに接続し、一端が後壁２７を貫通して回路基板（図示せず）に半田付けされ、他端が収容空間１８に延在している。第２導電端子２４は、サイズの小さいカード３００の導電パッドに接続し、一端が底板１４を貫通し手回路基板に半田付けされ、他端が収容空間１８に延在している。
【００１２】
前記シールド２８は、絶縁ハウジング１０に対応した天板３０と、底板３２と、天板３０と底板３２とを連接する側板３４とを含み、その天板３０には、分離可能な分離板３０１を有する。前記分離板３０１は、上向きに突設して形成される受入空間３０２と、分離板３０１の頂壁から受入空間３０２向きに突出するように形成される保持片３０３と、が形成される。前記受入空間３０２内にスプリング３０４を収容し、該スプリング３０４は、一端が前記保持片３０３に保持され、他端が誤挿着防止機構４０に固持される。
【００１３】
天板３０には、前記絶縁ハウジング１０の開口１３に連通している開口３６と、該開口３６の両側に配置される弾性片３７とが形成され、前記弾性片３７の末端部３７１は、前記分離板３１に形成される突起３０５に係合するために上向きに延在している。また、前記側板３４に押圧片３８が形成される。
【００１４】
図６乃至図９を参照して、誤挿着防止機構４０は、絶縁ハウジング１０の前側に取付けられ、シャッターとしてサイズの大きいカードの挿入口１９を覆い、平板状の主体部４４と、主体部４４の両側に枢支軸４２と、サイズの小さいカード３００を挿入するために主体部４４に形成される挿入口４６と、を含む。前記挿着口４６は、前記収容空間１８に連通して挿入口１９に重なり、また、主体部４４の後壁５０の両側に、前記シールド２８の弾性片３７に当接する凸塊５１がそれぞれ形成される。
【００１５】
主体部４４の後壁５０から、サイズの小さいカード３００をガイドするためにカードの挿入方向に沿って延出するように形成される一対の案内部材４８が設けられ、案内部材４８が挿着口４６の両側に配置される。案内部材４８は、末端に位置決め部５４が形成され、絶縁ハウジング１０の天板１２に近接した頂壁４８１に前記スプリング３０４を保持するためのガイド溝４８１１が形成され、絶縁ハウジング１０の底板１４に近接した底壁４８２に、絶縁ハウジング１０の収容口１４２に収容される凸部４８２１が形成される。前記スプリング３０４により、案内部材４８に弾性的な作用力が加えられる。また、サイズの小さいカード３００を支持するために、主体部４４の後壁５０から収容空間１８向きに延在するように形成される支持板５２は前記挿着口４６の下側に位置し、絶縁ハウジング１０の凹み部１５に収容される。
【００１６】
前記シェル５６は、金属板からなり、両側に形成される軸部５８にスプリング５８１を被覆し、該スプリング５８１は、一端が誤挿着防止機構４０の主体部４４に保持され、他端がシェル５６に保持される。これにより、該シェル５６が誤挿着防止機構４０の後壁５０に回転可能に実装され、挿着口４６を覆っている。
【００１７】
前記係合部材６０は、側壁１６の先端に形成される切欠部１７に回転可能に取付けられ、シールド２８の押圧片３８に押圧される。該係合部材６０は、枢支部６２と、サイズの大きいカードに当接される押圧面６４と、誤挿着防止機構４０をロックするための係合部６６とを有する。
【００１８】
カードをまだ挿入しない際に、誤挿着防止機構４０が、サイズの大きいカードの挿入口１９を覆っていて、前記誤挿着防止機構４０に取付けられるシェル５６は、サイズの小さいカード３００の挿着口４６を覆っている。サイズの大きいカードが挿入される際に、該カードの両側端が前記係合部材６０の押圧面６４に当接すると、係合部材６０を枢支部６２を軸として外方向きに回転させ、これによって、誤挿着防止機構４０をロックするための係合部６６も外方向きに回転するので、誤挿着防止機構４０と係合部６６とのロックが解除される。誤挿着防止機構４０は、サイズの大きいカードの挿入に従って上向きに回転し、絶縁ハウジング１０の開口１３とシールド２８の開口３６を貫通して水平位置に到達する。この時、サイズの大きいカードが第１導電端子２２に電気的に接続し、シェル５６がサイズの小さいカード３００の挿着口４６を覆う閉鎖状態になる。
【００１９】
サイズの大きいカードが排出された際に、前記シールド２８の分離板３０１に取付けられるスプリング３０４の一端が誤挿着防止機構４０の案内部材４８に当接し、シールド２８の弾性片３７が誤挿着防止機構４０の凸塊５１に当接し、押圧片３８が係合部材６０に押圧し、これらによって、誤挿着防止機構４０と係合部材６０を初期状態に回復させる。
【００２０】
図１０を参照すると、サイズの小さいカード３００が挿着口４６に挿入する際に、横幅が小さいことで係合部材６０に当接せず、直ちにシェル５６を押圧して上向きに回転させ、前記案内部材４８と支持板５２により収容空間１８に収容して支持され、第２導電端子２４との電気的な接続を達成している。該サイズの小さいカード３００が排出される際に、前記スプリング５８１の弾性力によって、前記シェル５６を初期状態に回復させる。
【００２１】
サイズの小さいカード３００の挿入力が大きすぎる際に、前記案内部材４８は、凸塊４８２１が絶縁ハウジング１０の収容口１４２に収容されることによって、前方と左右方向への移動が制限され、さらに、サイズの小さいカードの挿入をガイドすることが確保される。
【００２２】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００２３】
【図１】本考案に係るカード用コネクタの組立斜視図である。
【図２】図１に示すカード用コネクタの分解斜視図であり、シールドが絶縁ハウジングから取外された分解斜視図である。
【図３】図２に示すカード用コネクタの分解斜視図である。
【図４】本考案に係るカード用コネクタの絶縁ハウジングの拡大図であり、導電端子が絶縁ハウジングに装着された拡大図である。
【図５】図４に示すカード用コネクタの分解斜視図である。
【図６】本考案に係るカード用コネクタの誤挿着防止機構の組立斜視図である。
【図７】本考案に係るカード用コネクタの誤挿着防止機構の分解斜視図である。
【図８】図７に示すカード用コネクタの誤挿着防止機構の組立斜視図であり、シェルが開放状態に位置する組立斜視図である。
【図９】本考案に係るカード用コネクタの誤挿着防止機構と絶縁ハウジングの分解斜視図である。
【図１０】サイズの小さいカードが本考案に係るカード用コネクタに挿入する組立斜視図である。
【符号の説明】
【００２４】
１００  カード用コネクタ
１０  絶縁ハウジング
１２、３０  天板
１３、３６  開口
１４、３２  底板
１４２  収容口
１５  凹み部
１６  側壁
１７  切欠部
１８  収容空間
１９  挿入口
２２  第１導電端子
２４  第２導電端子
２７、５０  後壁
２８  シールド
３００  サイズの小さいカード
３０１  分離板
３０２  受入空間
３０３  保持片
３０４、５８１  スプリング（弾性部材）
３０５  突起
３４  側板
３７  弾性片
３８  押圧片
４０  誤挿着防止機構
４２  枢支軸
４４  主体部
４６  挿着口
４８  案内部材
４８１  頂壁
４８１１  ガイド溝
４８２  底壁
４８２１  凸部
５０  後壁
５２  支持板
５４  位置決め部
５６  シェル
５８  軸部
６０  係合部材
６２  枢支部
６４  押圧面
６６  係合部
【図１】
0003126002.tif 000003
【図２】
0003126002.tif 000004
【図３】
0003126002.tif 000005
【図４】
0003126002.tif 000006
【図５】
0003126002.tif 000007
【図６】
0003126002.tif 000008
【図７】
0003126002.tif 000009
【図８】
0003126002.tif 000010
【図９】
0003126002.tif 000011
【図１０】
0003126002.tif 000012
【手続補正書】
【提出日】平成18年8月2日(2006.8.2)
【手続補正１】
【補正対象書類名】明細書
【補正対象項目名】０００２
【補正方法】変更
【補正の内容】
【０００２】
携帯電話と、デジタルカメラと、ＰＤＡ（Ｐｅｒｓｏｎａｌ  Ｄｉｇｉｔａｌ  Ａｓｓｉｓｔａｎｃｅ）などの電子機器の増設記録装置としてカード用コネクタが一般的に使用されている。このカード用コネクタの記憶媒体としてはＳＤ（Ｓｕｐｅｒ  Ｄｅｎｓｉｔｙ，  ｓｅｃｕｒｅ  ｄｉｇｉｔａｌ（登録商標））カードやＭＭＣ（Ｍｕｌｔｉｍｅｄｉａ  Ｃａｒｄ）カードやＳＭ（Ｓｍａｒｔ  Ｍｅｄｉａ（登録商標））カードや、ＭＳ（Ｍｅｍｏｒｙ  Ｓｔｉｃｋ（登録商標））カードや、ＭＳＤｕｏ（Ｍｅｍｏｒｙ  Ｓｔｉｃｋ  Ｄｕｏ（登録商標））カードやＸＤ（ＸＤ−ｐｉｃｔｕｒｅ）カード等が広く使用されるようになってきている。